(57)【特許請求の範囲】
【請求項１】
ケース本体と、該ケース本体を開閉する本体蓋を備えた工具収納ケースであって、前記ケース本体の正面に、使用者が把持するハンドルと、前記本体蓋の閉じ状態を保持するラッチを備えており、
前記ハンドル部は、使用者が把持する把持部と、該把持部を前記ケース本体の正面に対して支持する一対の脚部を備えており、該両脚部間に補助ケースを備えた工具収納ケース。
【請求項２】
請求項１に記載した工具収納ケースであって、前記補助ケースは、補助ケース本体と該補助ケース本体を開閉する補助ケース蓋を備えており、前記本体蓋の閉じ状態で前記補助ケース蓋を開閉可能な構成とした工具収納ケース。
【請求項３】
請求項１又は２に記載した工具収納ケースであって、前記ラッチは一対設けられており、該両ラッチ間に前記補助ケースを備えた工具収納ケース。
【請求項４】
請求項１〜３の何れか１項に記載した工具収納ケースであって、前記本体ケースから前記補助ケースを取り外し可能な工具収納ケース。
【請求項５】
請求項４に記載した工具収納ケースであって、前記補助ケースは、前記本体蓋を開いて前記ケース本体から取り外し可能となり、前記本体蓋を閉じると前記ケース本体から脱落不能に固定される構成とした工具収納ケース。
【発明の詳細な説明】
【技術分野】
【０００１】
この発明は、例えば電動工具を収納するケースに関する。
【背景技術】
【０００２】
例えばディスクグラインダ等の手持ち工具を、ドリルビットや砥石等の先端工具やアクセサリ等の各種付属品あるいはその他の小物類（以下、単に小物類とも言う）とともに収納して持ち運ぶための工具収納ケース（キャリングケース）について従来より様々な改良が加えられている。
一般的に、小物類は、工具本体を収納するケース本体内部の空きスペースを利用して設けられていることが多いが、例えば下記の特許文献には、小物類を収納するための補助ケースをケース本体の外部に備えた工具収納ケースが開示されている。ケース本体の外部に小物類を収容する補助ケースを備えることにより、小物類を出し入れする場合わざわざケース本体の蓋（本体蓋）を開け閉めする必要がないので、先端刃具等の小物類を素早く出し入れして作業の迅速化を図ることができる。
【先行技術文献】
【特許文献】
【０００３】
【特許文献１】国際公開第２０１１／１１０５５９号
【発明の概要】
【発明が解決しようとする課題】
【０００４】
しかしながら、上記の特許文献に開示された工具収納ケースによれば、小物類を収納する補助ケースがケース本体の左右側部に設けられていたため、ケース全体としての横幅が大きくなり、当該工具収納ケースの設置場所に補助ケース分だけ大きなスペースが必要になる問題があった。
本発明は、係る従来の問題に鑑みてなされたもので、ケース本体の外部に補助ケースを備える工具収納ケースについて、補助ケース部の設置スペースを必要とせず、従来よりも小さなスペースに設置できるようにすることを目的とする。
【課題を解決するための手段】
【０００５】
上記の課題は、下記の発明によって解決される。
第１の発明は、ケース本体と、ケース本体を開閉する本体蓋を備えた工具収納ケースであって、ケース本体の正面に、使用者が把持するハンドルと、本体蓋の閉じ状態を保持するラッチを備えており、当該ケース本体の正面に補助ケースを備えた工具収納ケースである。
第１の発明によれば、従来のようにケース本体の側部ではなく、正面に補助ケースを備えている。このため、ケース本体の正面を上方へ向けた姿勢で設置する場合に補助ケース分の設置スペースを必要とせず、従来よりも小さな設置スペースに設置することができるようになる。
第２の発明は、第１の発明において、補助ケースは、補助ケース本体と該補助ケース本体を開閉する補助ケース蓋を備えており、前記本体蓋の閉じ状態で前記補助ケース蓋を開閉可能な構成とした工具収納ケースである。
第２の発明によれば、本体蓋を閉じた状態のままで補助ケースに対して小物類を出し入れすることができることから、補助ケースひいては当該工具収納ケースの使い勝手を高めることができる。
第３の発明は、第１又は第２の発明において、ハンドルは、使用者が把持する把持部と、把持部をケース本体に対して支持する一対の脚部を備えており、この両脚部間に補助ケースを備えた工具収納ケースである。
第３の発明によれば、ケース本体の正面であって脚部間の空きスペースを利用して補助ケースが設けられていることから、補助ケース分の設置スペースは不要であり、従来よりも小さなスペースに設置することができる。
第４の発明は、第１〜第３の何れか一つの発明において、ラッチは一対設けられており、該両ラッチ間に前記補助ケースを備えた工具収納ケースである。
第４の発明によれば、ケース本体の正面であってラッチ間の空きスペースを利用して補助ケースが設けられていることから、補助ケース分の設置スペースは不要であり、従来よりも小さなスペースに設置することができる。
第５の発明は、第１〜第４の何れか一つの発明において、本体ケースから補助ケースを取り外し可能な工具収納ケースである。
第５の発明によれば、補助ケースは不要である場合に本体ケースから取り外すことができるので当該工具収納ケースをより軽量コンパクト化して使用することができ、ひいては当該工具収納ケースの使い勝手を一層高めることができる。
第６の発明は、第５の発明において、補助ケースは、本体蓋を開いてケース本体から取り外し可能となり、本体蓋を閉じるとケース本体から脱落不能に固定される構成とした工具収納ケースである。
第６の発明によれば、簡単な操作で補助ケースを本体ケースに対して取り付け、取り外しすることができるのでその取り扱い性を高めることができ、ひいては当該工具収納ケースのコスト低減及び構成の簡略化を図ることができる。
【図面の簡単な説明】
【０００６】
【図１】本実施形態に係る工具収納ケースの全体斜視図である。
【図２】本実施形態に係る工具収納ケースの全体斜視図である。本図では、本体蓋が開けられた状態で示されている。
【図３】図１の(III)-(III)線断面矢視図であって、工具収納ケースの正面側の縦断面図である。
【図４】本実施形態に係る工具収納ケースの全体斜視図である。本図では、ハンドルが使用位置に取り出された状態で示されている。
【図５】図４の(V)-(V)線断面矢視図であって、工具収納ケースの正面側の縦断面図である。
【図６】本実施形態に係る工具収納ケースの全体平面図である。
【図７】本実施形態に係る工具収納ケースの正面図である。
【図８】図６の(VIII)-(VIII)線断面矢視図であって、ラッチの縦断面図である。
【図９】図６の(IX)-(IX)線断面矢視図であって、工具収納ケースの正面側の縦断面図である。
【図１０】工具収納ケースの正面側の縦断面図である。本図では、補助ケースの補助ケース蓋が開けられた状態で示されている。
【図１１】図６の(XI)-(XI)線断面矢視図であって、補助ケースのケース本体に対する取り付け部の縦断面図である。
【図１２】補助ケースの斜視図である。本図は、補助ケース蓋を開けた状態を正面側から見た状態で示している。
【図１３】補助ケースの斜視図である。本図は、補助ケース蓋を開けた状態を背面側から見た状態で示している。
【図１４】補助ケースの斜視図である。本図は、補助ケース蓋を閉じた状態を背面側から見た状態で示している。
【発明を実施するための形態】
【０００７】
次に、本発明の実施形態を図１〜図１４に基づいて説明する。図１及び図２は、本実施形態の工具収納ケース１を示している。この工具収納ケース１は、電動工具２を収容可能な上方開放のケース本体１０と、ケース本体１０を開閉する本体蓋１１を備えている。
ケース本体１０は、プラスチック製の比較的底浅の矩形ケースで、電源としてのバッテリパック３を装着した電動工具２の他、予備電源としてのバッテリパック３を二つと、バッテリパック３を充電するための充電器４と、小物ケース５が収容されている。これらは、ケース本体１０内に仕切り壁部６で区画された各収納スペース内にガタツキなく収納できるようになっている。図２では、電動工具２として、電動モータを内装した本体部を把持して用いる手持ち式の研削工具で、電動モータのモータ軸線に対してスピンドルが直交したアングル形式の充電式工具が例示されている。本体部の後部にバッテリパック３が装着されている。その他各収納物については特に変更を要しないので説明を省略する。
ケース本体１０と同じくプラスチック製の本体蓋１１は、ヒンジ部１２を介して当該本体ケース１０の背面側に上下に回動可能に結合されている。
工具収納ケース１の正面側には、持ち運び時に使用者が把持するハンドル１３と、本体蓋１１の閉じ状態をロックするラッチ１４，１４と、補助ケース２０が備え付けられている。ハンドル１３は、ケース本体１０の正面壁部１０Ｆに沿って長く延びる把持部１３ａを備えている。この把持部１３ａの左右両端部に、脚部１３ｂ，１３ｂが設けられている。両脚部１３ｂ，１３ｂの先端部がケース本体１０の正面壁部１０Ｆに対して上下に回動可能に結合されて、当該ハンドル１３が図１〜図３に示す格納位置と、図４及び図５に示す取り出し位置との間を移動可能に設けられている。図示するように、左右の脚部１３ｂ，１３ｂは、それぞれ正面壁部１０Ｆの左端部付近と右端部付近に支持されている。このため、把持部１３ａは正面壁部１０Ｆの左端部付近から右端部付近に至る範囲に沿って延びており、当該工具収納ケース１にはその左右方向ほぼ全幅にわたる大型のハンドル１３が設けられている。
図１〜図３に示すようにハンドル１３は格納位置において、ケース本体１０の正面壁部１０Ｆからほぼはみ出さない状態に格納される。図４及び図５に示すようにハンドル１３は取り出し位置に取り出されると、正面壁部１０Ｆとの間に使用者が手先を差し入れ可能な程度の適度なスペースＳをおいてその把持部１３ａを位置させた状態となる。ハンドル１３の内側であってこのスペースＳ内に、左右一対のラッチ１４，１４と補助ケース２０が設けられている。
【０００８】
左側のラッチ１４は、ハンドル１３の左側の脚部１３ｂの内側（右側）に配置されている。右側のラッチ１４は、右側の脚部１３ｂの内側（左側）に配置されている。左右のラッチ１４，１４は同様の構成を備えており、以下左側のラッチ１４について説明する。図８に示すようにラッチ１４は、使用者が操作するラッチ板１４ａを備えている。ラッチ板１４ａは、開閉アーム１４ｂを介してケース本体１０の正面壁部１０Ｆに結合されている。開閉アーム１４ｂの一端側は支軸１４ｃを介して正面壁部１０Ｆに回動可能に結合され、他端側は支軸１４ｄを介してラッチ板１４ａの背面に回動可能に結合されている。ラッチ板１４ａの上部には係合縁部１４ｅが設けられている。この係合縁部１４ｅを本体蓋１１の正面壁部１１Ｆに設けられた係合凸部１１ａに引き掛けて当該ラッチ板１４ａを下方へ回動させることにより、本体蓋１１のケース本体１０に対する閉じ状態がロックされる。
この閉じ状態において、ラッチ板１４ａをその下部を上方へ変位させる方向に回動させると、係合縁部１４ｅの係合凸部１１ａに対する係合状態が解除されて本体蓋１１の閉じ状態がアンロックされ、従って本体蓋１１を開けることができる。
【０００９】
このように設けられた左右一対のラッチ１４，１４間であって、正面壁部１０Ｆの中央に補助ケース２０が設けられている。この補助ケース２０の詳細が図９以降に示されている。この補助ケース２０は、正面壁部１０Ｆからの突き出し寸法が小さく、左右幅が大きな横長薄型の箱体で、正面壁部１０Ｆに沿って取り外し可能に設けられている。
この補助ケース２０は、補助ケース本体２１と補助ケース蓋２２を備えている。図１０及び図１３に示すように補助ケース本体２１の正面側の上半分が補助ケース蓋２２によって開閉される。補助ケース蓋２２は、補助ケース本体２１の正面側上部にヒンジ部２３を介して開閉可能に結合されている。本実施形態の場合、補助ケース２０は合成樹脂の成形品（プラスチック製）で、補助ケース本体２１と補助ケース蓋２２がヒンジ部２３（いわゆるインテグラルヒンジ）を介して一体に成形されたものが例示されている。
図１１，１３，１４に示すように補助ケース本体２１の背面には、左右一対のフック２４，２４が一体に設けられている。両フック２４，２４は逆Ｕ字形をなし、下向きに開いている。一方、ケース本体１０の正面壁部１０Ｆの上部には、上記両引き掛け部２４，２４に対応して薄肉部１０ｂ，１０ｂが設けられている。図１１に示すように両薄肉部１０ｂ，１０ｂは他の部位よりも薄肉に形成されて、上記フック２４，２４に挿入可能な肉厚に形成されている。
ケース本体１０の薄肉部１０ｂ，１０ｂに対してフック２４，２４を上方から引き掛けて、補助ケース２０がケース本体１０の正面壁部１０Ｆの外側に沿って取り付けられている。補助ケース２０は、本体蓋１１を明けた状態で、ケース本体１０から上方へ持ち上げることにより当該ケース本体１０から簡単に取り外すことができる。逆に、本体蓋１１を明けた状態で薄肉部１０ｂ，１０ｂにフック２４，２４を上方から引き掛ければ、補助ケース２０を本体ケース１０に簡単に取り付けることができる。取り付け後、本体蓋１１を閉じてラッチ１４，１４で閉じ状態をロックすれば、当該補助ケース２０はケース本体１０から脱落不能に固定された状態となる。
【００１０】
図１２〜図１４に示すように補助ケース蓋２２の上部には、閉じ縁部２２ｂがヒンジ部（インテグラルヒンジ）を介して折り曲げ可能に設けられている。この閉じ縁部２２ｂには、左右に長い係合孔２２ａが設けられている。これに対して補助ケース本体２１の背面側上部には、上記係合孔２２ａ内に嵌め込み可能な断面Ｌ形の係合爪２１ａが設けられている。補助ケース蓋２２を上方（背面側）へ回動させて閉じ、さらに閉じ縁部２２ｂを折り曲げて係合孔２２ａ内に係合爪２１ａを引き掛けることにより当該補助ケース蓋２２の閉じ状態が保持される。
図１２に示すようにこの補助ケース２０内には、電動工具としての振動サンダー等のマルチツールをケース本体１０に収容した場合において、当該マルチツール用の各種の先端工具２５〜２８を小物類として収容することができる。先端工具２５はサンディングペーパやフェルト等を装着するための台座、先端工具２６は円形の鋸刃、先端工具２７は扇形の鋸刃、先端工具２８はアーム形の鋸刃であり、これら作業内容に合わせて各種の先端工具を補助ケース２０内に収容しておくことにより、作業に必要な先端工具を迅速に選択し、取り出して電動工具２に装着することができ、これにより作業の迅速化を図ることができる。
【００１１】
以上のように構成した本実施形態の工具収納ケース１によれば、各種の小物類（アクセサリ）を収容可能な補助ケース２０がケース本体１０の正面側（正面壁部１０Ｆ）に取り付けられている。このため、当該工具収納ケース１をその正面側（１０Ｆ，１１Ｆ）を上向きにして設置する場合に、従来のように補助ケース分の設置スペースを考慮する必要がなく、ケース本体１０の左右幅分の設置スペースがあれば足りることから、当該工具収納ケース１の取り扱い性を高めることができる。
また、補助ケース２０は、ケース本体１０の正面壁部１０Ｆの外側に設けられている。このため、ケース本体１０に対して本体蓋１１を閉じた状態のままで、補助ケース蓋２２を明ければ収納した小物類を取り出すことができ、逆に別の小物類を収納することができ、当該小物類の収納、取り出しを迅速に行うことでき、この点で当該補助ケース２０ひいては工具収納ケース１の使い勝手を一層高めることができる。
さらに、工具収納ケース１の正面側に補助ケース２０を備えていることから、当該補助ケース２０の存在を目視により容易に確認することができ、ひいては収容した小物類を迅速に用意することができ、これにより作業の効率化を図ることができる。
以上説明した実施形態には種々変更を加えることができる。例えば、ケース本体１０の正面壁部１０Ｆ（当該工具収納ケース１の正面側）において、左右幅の大きな大型のハンドル１３を配置し、その内側の空きスペースＳに左右一対のラッチ１４，１４を配置し、さらにその内側に１つの補助ケース２０を配置する構成を例示したが、より小型のハンドルをラッチ１４，１４間（ケース本体１０の左右幅方向中央）に配置し、左側のラッチ１４の左側若しくは右側のラッチ１４の右側の何れか一方に１つの補助ケースを配置し、あるいは双方にそれぞれ補助ケースを配置する構成とすることができる。
また、ケース本体１０から取り外し可能な補助ケース２０を例示したが、ケース本体１０の正面壁部１０Ｆの外側面に沿って一体に設けられて取り外し不能な補助ケースとしてもよい。
さらに、格納式のハンドル１３を例示したが、図４及び図５に示す取り出し位置（使用位置）に固定されたハンドルを備える工具収納ケースについて例示した補助ケースを設けることにより同様の作用効果を得ることができる。
また、プラスチック製の工具収納ケース１を例示したが、アルミニウム製の収納ケースの正面側にプラスチック製若しくはアルミニウム製の補助ケースを設けた構成としても同様の作用効果を得ることができる。
【符号の説明】
【００１２】
１…工具収納ケース
２…電動工具（マルチツール）
３…バッテリパック
４…充電器
５…小物ケース
６…仕切り壁部
１０…ケース本体、１０Ｆ…正面壁部、１０ｂ…薄肉部
１１…本体蓋、１１Ｆ…正面壁部、１１ａ…係合凸部
１２…ヒンジ部
１３…ハンドル、１３ａ…把持部、１３ｂ…脚部
１４…ラッチ
１４ａ…ラッチ板、１４ｂ…開閉アーム、１４ｃ，１４ｄ…支軸、１４ｅ…係合縁部
２０…補助ケース
２１…補助ケース本体、２１ａ…係合爪
２２…補助ケース蓋、２２ａ…係合孔、２２ｂ…閉じ縁部
２３…ヒンジ部（インテグラルヒンジ）
２４…フック
２５〜２８…先端工具（小物類）
【図１】
0005815445.tif 000002
【図２】
0005815445.tif 000003
【図３】
0005815445.tif 000004
【図４】
0005815445.tif 000005
【図５】
0005815445.tif 000006
【図６】
0005815445.tif 000007
【図７】
0005815445.tif 000008
【図８】
0005815445.tif 000009
【図９】
0005815445.tif 000010
【図１０】
0005815445.tif 000011
【図１１】
0005815445.tif 000012
【図１２】
0005815445.tif 000013
【図１３】
0005815445.tif 000014
【図１４】
0005815445.tif 000015